(57)【要約】【課題】コンパクトに畳めて携帯、保管等に適し、使用時には、取り出して即時に使用可能状態にすることができる交通誘導用の誘導旗を提供することを課題とする。【解決手段】旗布１の一端辺に形成される旗袋２内に芯棒３を挿入して成る交通誘導用の誘導旗であって、前記旗袋２には、前記芯棒３差込時においてその先端部に空間部２ａが形成されるようにし、前記芯棒３は、相互に接続・分離自在にされた複数の中空パイプＡ〜Ｃで構成され、前記複数の中空パイプＡ〜Ｃは、一連の伸縮紐６が挿通され、また、前記中空パイプＡ〜Ｃの１つとその連結相手となる前記中空パイプの相互の接続部外周面間に関節部保護用伸縮帯８が渡されて成る。【選択図】図１
2019086582.tif 000002
【特許請求の範囲】
【請求項１】
旗布の一端辺に形成される旗袋内に芯棒を挿入して成る交通誘導用の誘導旗であって、
前記旗袋には、前記芯棒差込時においてその先端部に空間部が形成されるようにし、前記芯棒は、相互に接続・分離自在にされた複数の中空パイプで構成され、前記複数の中空パイプは、一連の伸縮紐が挿通され、また、前記中空パイプの１つとその連結相手となる前記中空パイプの相互の接続部外周面間に関節部保護用伸縮帯が渡されていることを特徴とする誘導旗。
【請求項２】
前記中空パイプ同士の連結は、一半部が一方の前記中空パイプの端部内に挿入固定された接続ピースの他半部を、その連結相手となる前記中空パイプの端部内に挿脱自在に嵌入することによって行われる、請求項１に記載の誘導旗。
【請求項３】
前記旗布の旗袋内に挿入した前記芯棒を前記旗布の上から抱持するクリップを含む、請求項１又は２に記載の誘導旗。
【発明の詳細な説明】
【技術分野】
【０００１】
本発明は交通誘導用誘導旗、より詳細には、芯棒をコンパクトに折りたたむことができて携帯に便利な交通誘導用の誘導旗に関するものである。
【背景技術】
【０００２】
高速道路等において事故等が発生すると、交通誘導員が必要な道具を持参して現場に向かい、走行車両の誘導等の交通整理を行う。その際誘導員は、高速で走ってくる車のドライバーにできるだけ早く事故等の発生を報知するために、遠くからでも視認可能な大きさの赤色の誘導旗を振り動かす。
【０００３】
誘導旗は一般に、旗布の一端辺の袋部に木製の芯棒を差し込んで構成され、誘導員は、旗布の芯棒付近下部に形成された手指差込孔に手指を通して芯棒部分を握持して使用する（図８参照）。この従来の誘導旗における芯棒は、９０ｃｍ程の長尺のものであるために携帯等には不向きであり、誘導員が常時ポケット等に差し込んで携帯し、有事に直ちに使用に供するという訳にはいかない。
【先行技術文献】
【特許文献】
【０００４】
【特許文献１】実開昭６１−１６５５９０号公報
【発明の概要】
【発明が解決しようとする課題】
【０００５】
上述のとおり、従来の誘導旗における芯棒は、９０ｃｍ程の長尺のものであるため、携帯等には不向きであり、誘導員が常時ポケット等に差し込んで携帯し、有事に直ちに使用に供するという訳にはいかないという問題があった。そこで本発明は、このような問題のない、即ち、コンパクトに畳めて携帯、保管等に適し、使用時には、取り出して即時に使用可能状態にすることができる交通誘導用の誘導旗を提供することを課題とする。
【課題を解決するための手段】
【０００６】
上記課題を解決するための請求項１に記載の発明は、旗布の一端辺に形成される旗袋内に芯棒を挿入して成る交通誘導用の誘導旗であって、前記旗袋には、前記芯棒差込時においてその先端部に空間部が形成されるようにし、前記芯棒は、相互に接続・分離自在にされた複数の中空パイプで構成され、前記複数の中空パイプは、一連の伸縮紐が挿通され、また、前記中空パイプの１つとその連結相手となる前記中空パイプの相互の接続部外周面間に関節部保護用伸縮帯が渡されていることを特徴とする誘導旗である。
【０００７】
一実施形態においては、前記中空パイプ同士の連結は、一半部が一方の前記中空パイプの端部内に挿入固定された接続ピースの他半部を、その連結相手となる前記中空パイプの端部内に挿脱自在に嵌入することによって行われる。
【０００８】
一実施形態においては、前記旗布の旗袋内に挿入した前記芯棒を前記旗布の上から抱持するクリップを含む。
【発明の効果】
【０００９】
従来の誘導旗は持ち運びや管理、保管等に難があったが、本発明に係る誘導旗の場合は、芯棒を分離後折り返して旗布をコンパクトに折り畳むことができるので、ポケットに入れて携帯したり、自動車のサイドポケットに保管したりするのに適し、使用時には芯棒を形成する複数の中空パイプを直線状にするだけで、伸縮紐並びに伸縮帯の作用で即座に１本の芯棒が形成され、直ちに使用可能となる効果がある。
【図面の簡単な説明】
【００１０】
【図１】本発明に係る誘導旗の正面図である。
【図２】本発明に係る誘導旗の芯棒の構成（伸張時）を示す部分破断図である。
【図３】本発明に係る誘導旗の芯棒の構成（折曲時）を示す部分破断図である。
【図４】本発明に係る誘導旗における伸縮帯の取り付け方法を示す図である。
【図５】本発明に係る誘導旗における伸縮紐及び伸縮帯の緊張時の状態を示す図である。
【図６】本発明に係る誘導旗の折り畳み方法を示す図である。
【図７】本発明に係る誘導旗の携帯方法の例を示す図である。
【図８】本発明に係る誘導旗の使用方法を示す図である。
【発明を実施するための形態】
【００１１】
本発明を実施するための形態につき、添付図面を参照しつつ詳細に説明する。本発明に係る誘導旗は、図１に示すとおり、旗布１の一端辺に形成された旗袋２に芯棒３を挿入して構成される。芯棒３は、相互に接続・分離自在にされた複数の中空パイプＡ，Ｂ，Ｃで構成される（図示した例では３分割であるが、２分割あるいは４分割であってもよい。）。
【００１２】
中空パイプＡ，Ｂ，Ｃを相互に接続・分離自在に連結するための方法は、種々考えられる。例えば、中空パイプＡの一端部を縮径化又はテーパー化し、その縮径部又はテーパー部を中空パイプＢの一端部に嵌合し、同様に、中空パイプＢの他端部を縮径化又はテーパー化し、その縮径部又はテーパー部を中空パイプＣの一端部に嵌合する方法が可能である。
【００１３】
また、図２，３に示す例のように、連結ピース４の一半部を中空パイプＡの一端部内に嵌入固定し、中空パイプＡから露出する連結ピース４の他半部を中空パイプＢの一端部内に挿脱可能に嵌入し、また、別の連結ピース５の一半部を中空パイプＣの一端部内に嵌入固定し、中空パイプＣから露出する連結ピース５の他半部を中空パイプＢの他端部内に挿脱可能に嵌入する方法（インロー形式）であってもよい。なお、この方法の場合、連結ピース４，５は、それぞれ中空パイプＢの方に固定することとしてもよい。
【００１４】
中空パイプＡ〜Ｃの連結は、中空パイプＡから中空パイプＣにかけて、一連のゴム紐等の伸縮紐６が挿通される。伸縮紐６は、その一端が中空パイプＡ内において固定され、他端が中空パイプＣ内において固定される。その固定方法は任意で、図示した例では、連結ピース４，５を利用し、ループにした伸縮紐６を、連結ピース４，５内を横切る固定ピン７に掛け回す方法が採られている。
【００１５】
好ましい実施形態においては、中空パイプＡ〜Ｃの１つとその連結相手となる中空パイプの相互の接続部外周面間に伸縮帯８が渡される。図４に示す例では伸縮帯８は３枚とされているが、２枚又は４枚であってもよく、円筒状のものであってもよい。伸縮帯８は、一端部が一方の中空パイプの端部に固定され、他端部がその連結相手の中空パイプの端部に固定される。その固定は、例えば、伸縮帯８の内側面をパイプ端部の外周面に両面テープで固着し、その上に緊締紐９を巻き付け、更にその上にカバーテープ１０を巻装する。
【００１６】
後述するようにこの伸縮帯８は、伸縮紐６の中空パイプＡ，Ｂ，Ｃを１本化しようとする作用を補強すると共に、旗布１が、中空パイプＡ，Ｂ，Ｃの関節部に噛まれないように保護する役目を果たすものである。
【００１７】
旗布１は、従来のものと同一資材製で同一サイズとされ、同様に手指差込孔１１が設けられる。芯棒３を差し込む旗布１の旗袋２は、芯棒３を差し込んだ際に先端部が余って空間部２ａができるようにする。換言すれば、旗袋２の長さを芯棒３よりも長くする。後述するように、このように空間部２ａを設けることにより、旗袋２内に挿入されている芯棒３の分割が可能となる。
【００１８】
好ましくは、旗袋２越しに芯棒３を抱持するＣ字型のクリップ１２が嵌め付けられる。このクリップ１２は、使用時に何らかの不具合が発生した場合のメンテナンスの際に、芯棒３を旗袋２から取り出しやすくするためのもので、図示した例では、旗の上下を判別しやすくするための輪状の突片１３が取り付けられている。この突片１３は、手提げとして利用することもできる。
【００１９】
次いで、上記構成の本発明に係る誘導旗の使用方法について説明する。本発明に係る誘導旗は、後述するようにして小さく畳んだ状態で携帯所持し（図７参照）、使用時に取り出し、分割されて横並びにされた状態（図３参照）の中空パイプＡ〜Ｃを縦並びにして１本化する。即ち、図３に示す横並び状態から中空パイプＡを下向きに回動させて中空パイプＢの下側に位置させ、中空パイプＣを上向きに回動させて中空パイプＢの上側に位置させる。
【００２０】
図３，５に示す状態において、伸縮紐６及び伸縮帯８は引き伸ばされて強く緊張した状態となっている。そこで、中空パイプＡを中空パイプＢに対して下向きに回動させると、伸縮紐６及び伸縮帯８は瞬時に縮動作し、協働して中空パイプＡを中空パイプＢ側に強く引き寄せる。その結果、中空パイプＡから露出している連結ピース４の一半部が中空パイプＢ内に引き込まれ、以て、中空パイプＡと中空パイプＢが一体化される。その際に伸縮帯８が、旗布１が中空パイプＡと中空パイプＢの接合部に噛み込まれることを防止する。
【００２１】
同様に、中空パイプＣを中空パイプＢに対して上向きに回動させると、同じく伸縮紐６及び伸縮帯８の協働作用により、中空パイプＣが中空パイプＢに強く引き寄せられ、中空パイプＣから露出している連結ピース４の一半部が中空パイプＢ内に引き込まれ、以て、中空パイプＣと中空パイプＢが一体化される。この場合も伸縮帯８が、旗布１が中空パイプＢと中空パイプＣの接合部に噛み込まれることを防止する。かくして、中空パイプＡ〜Ｃが１本の芯棒３となり、それに伴って旗布１が拡開され、所定の四角形状となって使用可能となる。その使用法は、従来の場合と変わらない（図８参照）。
【００２２】
使用後に折り畳む場合は、中空パイプＢを持って中空パイプＡを同心上に引っ張って連結ピース４を引き抜くことにより中空パイプＡを中空パイプＢから引き離し、中空パイプＡを中空パイプＢに折り重ねる（図６（Ａ））。この中空パイプＡを中空パイプＢから引き離す操作は、空間部２ａを中空パイプＡ上に手繰り寄せた状態で行う。仮に、旗袋２に空間部２ａを保持することなく芯棒３を目一杯差し込んだ場合は、中空パイプＡの中空パイプＢからの引き離し操作を行うことができないことになる。
【００２３】
上記のようにして中空パイプＡを中空パイプＢに折り重ねるに伴い、旗布１の上部が中間部上に重なる。次いで、上記と同様にして、中空パイプＡ，Ｂを持って中空パイプＣを引っ張ることにより中空パイプＣを中空パイプＢから引き離し、中空パイプＣを中空パイプＡ，Ｂに折り重ねる（図６（Ｂ））。その動作に伴って旗布１の下部が、その中間部上に重なっている上部の上に折り重なる。その状態で丸めていくことによりコンパクトなものとなり（図６（Ｃ））、ポケットに挿入可能な状態となる（図７参照）。
【００２４】
本発明に係る誘導旗は上記のとおりであるので、芯棒３を分離後折り返して旗布１をコンパクトに折り畳むことができるので、ポケットに入れて携帯したり、自動車のサイドポケットに複数保管したりするのに適し、使用時には芯棒３を形成する複数の中空パイプＡ〜Ｃを直線状にするだけで、伸縮紐６並びに伸縮帯８の作用で即座に１本の芯棒３が形成され、直ちに使用可能となるので、緊急時等における車両の誘導に迅速に対処し得るものであり、その産業上の利用可能性は大である。
【符号の説明】
【００２５】
１        旗布
２        旗袋
２ａ      空間部
３        芯棒
４，５    連結ピース
６        伸縮紐
７        固定ピン
８        伸縮帯
９        緊締紐
１０      カバーテープ
１１      手指差込孔
１２      クリップ
１３      突片
【図１】
2019086582.tif 000003
【図２】
2019086582.tif 000004
【図３】
2019086582.tif 000005
【図４】
2019086582.tif 000006
【図５】
2019086582.tif 000007
【図６】
2019086582.tif 000008
【図７】
2019086582.tif 000009
【図８】
2019086582.tif 000010